(57)【要約】【課題】コストを低減させることができる。【解決手段】操作者との間で媒体を受け渡すための受渡部３１０ａと、受渡部に投入された媒体を取り込む又は該受渡部から媒体を排出する媒体取扱部３１０と、前記媒体取扱部に電力を供給する電源部２００と、電源部から単一電圧（２４Ｖ）の電力が供給され、各部を制御する主制御部１００と、主制御部と接続される第１接続部品１５０，１６０とを有し、主制御部は、電源部から供給される電力を用いて前記第１接続部品に供給するための電力を生成する第１電力生成部２０を備える。【選択図】図１
2018163625.tif 000002
【特許請求の範囲】
【請求項１】
操作者との間で媒体を受け渡すための受渡部と、
前記受渡部に投入された前記媒体を取り込む又は該受渡部から媒体を排出する媒体取扱部と、
前記媒体取扱部に電力を供給する電源部と、
前記電源部から単一電圧の電力が供給され、各部を制御する主制御部と、
前記主制御部と接続される接続部品とを有し、
前記主制御部は、
前記電源部から供給される電力を用いて前記接続部品に供給するための電力を生成する第１電力生成部を備える
ことを特徴とする自動取引装置。
【請求項２】
請求項１に記載の自動取引装置であって、
前記主制御部は、
前記第１電力生成部が生成する電力を用いて、前記接続部品を制御するドライバと、該ドライバ、及び前記第１電力生成部を実装する基板を備える
ことを特徴とする自動取引装置。
【請求項３】
請求項２に記載の自動取引装置であって、
前記基板は、ＣＰＵコアと、該ＣＰＵコアに電力を供給する第２電力生成部と、前記第２電力生成部に電力を供給する第３電力生成部とをさらに実装し、
前記ＣＰＵコアは、前記ドライバを制御し、
前記第３電力生成部は、前記電源部から前記単一電圧の電力が供給され、
ことを特徴とする自動取引装置。
【請求項４】
請求項３に記載の自動取引装置であって、
前記主制御部は、前記ＣＰＵコアを冷却するファンと、該ファン及び前記基板を収納する筐体とをさらに備え、
前記筐体は、前記ファンに面して開口した第１空気孔と、前記第３電力生成部の近傍に開口した第２空気孔とを有し、
前記ファンは、該ＣＰＵコアを冷却する空気を前記第１空気孔から取り入れ、前記第２電力生成部、前記第３電力生成部、及び前記第２空気孔を介して筐体外部に排出させる
ことを特徴とする自動取引装置。
【請求項５】
請求項３に記載の自動取引装置であって、
前記電源部は、停電時に前記主制御部に電力を供給するバッテリをさらに備え、
前記第３電力生成部は、前記バッテリの電圧が低下したときであっても、前記第２電力生成部の駆動可能電圧を発生することができる
ことを特徴とする自動取引装置。
【請求項６】
請求項１乃至請求項５の何れか一項に記載の自動取引装置であって、
前記電源部は、前記主制御部の前記第１電力生成部に直流電力を供給する第１直流電源と、前記媒体取扱部に直流電力を供給する第２直流電源と、該第２直流電源と商用電源との接続を遮断するスイッチとを備え、
前記第１直流電源は、前記スイッチを介することなく、前記商用電源に接続される
ことを特徴とする自動取引装置。
【請求項７】
操作者との間で媒体を受け渡すための受渡部と、
前記受渡部に投入された前記媒体を取り込む又は該受渡部から媒体を排出する媒体取扱部と、
前記媒体取扱部に第１電力を供給する電源部と、
前記電源部から前記第１電力と異なる第２電力が供給され、各部を制御する主制御部とを有し、
前記主制御部は、
前記電源部が出力する前記第２電力の電圧を降圧する第１電力変換部と、
ＣＰＵコアと、該ＣＰＵコアに電力を供給する第２電力変換部と、これらを実装する基板とをさらに備え、
前記第２電力変換部は、前記第１電力変換部が生成する直流電力を用いる
ことを特徴とする自動取引装置。
【請求項８】
請求項７に記載の自動取引装置であって、
前記主制御部は、前記ＣＰＵコアを冷却するファンと、該ファン及び前記基板を収納する筐体とをさらに備え、
前記筐体は、前記ファンに面して開口した第１空気孔と、前記第１電力変換部の近傍に開口した第２空気孔とを有し、
前記ファンは、該ＣＰＵコアを冷却する空気を前記第１空気孔から取り入れ、前記第１電力変換部、前記第２電力変換部、及び前記第２空気孔を介して筐体外部に排出させる
ことを特徴とする自動取引装置。
【請求項９】
請求項７に記載の自動取引装置であって、
前記電源部は、停電時に前記主制御部に電力を供給するバッテリをさらに備え、
前記第１電力変換部は、前記バッテリの電圧が低下したときであっても、前記第２電力変換部の駆動可能電圧を発生することができる
ことを特徴とする自動取引装置。
【請求項１０】
請求項７乃至請求項９の何れか一項に記載の自動取引装置であって、
前記電源部は、前記主制御部の前記第１電力変換部に直流電力を供給する第１直流電源と、前記媒体取扱部に直流電力を供給する第２直流電源と、該第２直流電源と商用電源との接続を遮断するスイッチとを備え、
前記第１直流電源は、前記スイッチを介することなく、前記商用電源に接続される
ことを特徴とする自動取引装置。
【発明の詳細な説明】
【技術分野】
【０００１】
本発明は、自動取引装置に関し、特に、取引の実行を制御する制御装置の電源構成に関する。
【背景技術】
【０００２】
現金自動預払機（ＡＴＭ：Automated Teller Machine）等の自動取引装置は、紙幣ユニットやカードユニット等のユニット以外に、これらのユニットを制御する制御装置（コントロールユニット）を搭載している。この制御装置は、Windows（登録商標）やLinux（登録商標）等の汎用ＯＳを搭載し、アプリケーションの変更を容易にしている。
【０００３】
特許文献１は、カードユニット、通帳ユニット、紙幣ユニットや硬貨ユニット等のユニットと、これらのユニットを制御する主制御部とに電力を供給する電源ユニットを備えた自動取引装置を開示している。
【先行技術文献】
【特許文献】
【０００４】
【特許文献１】特開２０１４−１６４４００号公報（図２）
【発明の概要】
【発明が解決しようとする課題】
【０００５】
汎用ＯＳを用いた制御装置は、マザーボードが必要とする電源電圧、定格電流がＰＣ標準規格で規定させられている。このため、自動取引装置の電源ユニットは、紙幣取扱装置やカードユニット等のメカユニットに必要とされるメカユニット電源(２４Ｖ／４０Ｖ等)の他に、制御装置（コントロールユニット）専用の電源(いわゆるＡＴＸ電源：１２Ｖ／５Ｖ／３．３Ｖ／５ＶＳ／−１２Ｖ)を搭載する必要があった。又は、自動取引装置は、コントロールユニット専用の電源ユニットをメカユニット電源と別に実装することもあった。
【０００６】
ところで、自動取引装置は、電源スイッチを切断したときに、ユニットと商用電源との接続を切断しているが、電源スイッチを切断しても制御装置と商用電源とを接続し続けるように構成されている。一方、ＡＴＸ電源は、コントロール端子を用いて、出力のＯＮ／ＯＦＦを制御する電圧端子（１２Ｖ／５Ｖ／３．３Ｖ／−１２Ｖ）と、商用電源に接続されている限り、低出力ながら出力電圧を出し続ける電圧端子（５ＶＳ）とを有している。つまり、ＡＴＸ電源を搭載した自動取引装置は、ＡＴＸ電源が１２Ｖ／５Ｖ／３．３Ｖ／−１２Ｖの電圧を出力し続けるようにコントロール端子を設定すればよい。つまり、５ＶＳの電圧端子は、無駄な端子であり、コスト高の要因となる。
【０００７】
本発明は、コストを低減させることができる自動取引装置を提供することを目的とする。
【課題を解決するための手段】
【０００８】
前記課題を解決するため、本発明の一の手段の自動取引装置は、操作者との間で媒体を受け渡すための受渡部（３１０ａ）と、前記受渡部に投入された前記媒体を取り込む又は該受渡部から媒体を排出する媒体取扱部（３１０）と、前記媒体取扱部に電力を供給する電源部（２００）と、前記電源部から単一電圧（２４Ｖ）の電力が供給され、前記各部を制御する主制御部（１００）と、前記主制御部と接続される接続部品（１１０）とを有し、前記主制御部は、前記電源部から供給される電力を用いて前記第１接続部品に供給するための電力を生成する第１電力生成部（２０）を備えることを特徴とする。なお、（  ）内の符号や数字は例示である。
【０００９】
本発明の他の手段の自動取引装置は、操作者との間で媒体を受け渡すための受渡部（３１０ａ）と、前記受渡部に投入された前記媒体を取り込む又は該受渡部から媒体を排出する媒体取扱部（３１０）と、前記媒体取扱部に第１電力を供給する電源部（２００）と、前記電源部から第２電力が供給され、各部を制御する主制御部とを有し、前記主制御部は、前記電源部が出力する前記第２電力の電圧を降圧する第１電力変換部（２０）と、ＣＰＵコアと、該ＣＰＵコアに電力を供給する第２電力変換部（２５）と、これらを実装する基板（５０）とをさらに備え、前記第２電力変換部は、前記第１電力変換部が生成する直流電力を用いることを特徴とする。なお、（  ）内の符号は例示である。
【発明の効果】
【００１０】
本発明によれば、コストを低減させることができる。
【図面の簡単な説明】
【００１１】
【図１】本発明の実施形態である自動取引装置の構成図である。
【図２】本発明の実施形態である自動取引装置が備える主制御部の構成図である。
【図３】本発明の実施形態である自動取引装置が備える主制御部の斜視図である。
【図４】第１電力生成部、乃至第１電力変換部の回路図である。
【図５】第２電力生成部、乃至第２電力変換部の回路図である。
【図６】第２電力生成部、乃至第２電力変換部の動作を説明する説明図である。
【発明を実施するための形態】
【００１２】
以下、図面を参照して、本発明の実施の形態（以下、「本実施形態」と称する）につき詳細に説明する。なお、各図は、本実施形態を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
(実施形態)
図１は、本発明の実施形態である自動取引装置の構成図である。
自動取引装置１０００は、主制御部１００と、電源部としてのメカユニット電源２００と、接客用表示操作部１５０、及び保守用表示操作部１６０と、媒体取扱部としての紙幣ユニット３１０と、硬貨ユニット３２０と、カードユニット３３０と、通帳ユニット３４０と、ＵＳＢカメラ１２０と、ＰＩＮＰＡＤ（Personal Identification Number PAD）１３０とを備える。なお、紙幣ユニット３１０と、硬貨ユニット３２０と、カードユニット３３０と、通帳ユニット３４０とでメカユニット３００を構成する。
【００１４】
主制御部１００は、接客用表示操作部１５０に取引画面を表示させ、保守用表示操作部１６０に保守画面を表示させる制御装置である。また、主制御部１００は、メカユニット３００をＵＳＢ（Universal Serial Bus）又は拡張ボードを用いて制御する。主制御部１００は、内部にＳＳＤ（Solid State Disk）を内蔵しているが、ＤＶＤ（Digital Versatile Disc）１１０を接続可能に構成されている。ここで、ＤＶＤ１１０、ＵＳＢカメラ１２０、ＰＩＮＰＡＤ１３０、その他のＵＳＢ接続機器は、主制御部１００とＵＳＢ接続する接続部品１４０を構成し、ＶＢＵＳ端子を介して電力供給されている。
【００１５】
メカユニット電源２００は、商用電源を用いて、直流電力を出力する絶縁型の電力変換器である。メカユニット電源２００は、電源スイッチ２１０、及びバッテリ２２０が接続されている。メカユニット電源２００は、電源スイッチ（スイッチにより制御されるリレーを含む）２１０のオン／オフに連動してＤＣ２４Ｖの直流電力を出力する端子（２４Ｖ）と、電源スイッチのオン／オフに拘わらず、商用電源に接続されている限りＤＣ２４Ｖの直流電力を出力する端子（２４ＶＳ）とを備える。端子（２４Ｖ）は、メカユニット３００に接続され、端子（２４ＶＳ）は、主制御部１００と、接客用表示操作部１５０、及び保守用表示操作部１６０とに接続される。
【００１６】
メカユニット電源２００は、バッテリ２２０を用いたバックアップ機能を有し、停電時に生じる電圧垂下の情報を主制御部１００に送信することにより、主制御部１００に停電処理を実行させることができる。なお、バッテリ２２０は、停電発生後の時間経過と共に電圧が徐々に低下する性質を有し、低下した電圧（最低電圧Ｖmin）が主制御部１００に印加される。
【００１７】
紙幣ユニット３１０は、受渡部３１０ａと、内部に複数の紙幣収納庫（不図示）と紙幣鑑別装置（不図示）とを備える媒体取扱部である。紙幣ユニット３１０は、受渡部３１０ａが操作者との間で媒体を受け渡し、紙幣鑑別装置が該受け渡された媒体を鑑別し、複数の紙幣収納庫が、鑑別された紙幣を金種毎に格納する。つまり、媒体取扱部としての紙幣ユニット３１０は、受渡部３１０ａに投入された媒体を取り込んだり、受渡部３１０ａから媒体を排出したりする。
【００１８】
硬貨ユニット３２０は、硬貨を金種毎に格納し、出金するユニットである。カードユニット３３０は、ＩＣカードや磁気カードを読み込むユニットである。通帳ユニット３４０は、通帳に取引を記帳するユニットである。ＵＳＢカメラ１２０は、自動取引装置を使用する顧客の顔や手元を撮像するカメラである。ＰＩＮＰＡＤ１３０は、取引に使用される暗証番号を入力するテンキーボードである。ＰＩＮＰＡＤ１３０は、受渡部３１０ａの近傍に配設されることが多く、受渡部３１０ａと共に、ＵＳＢカメラ１２０で監視される。
【００１９】
図２は、本発明の実施形態である自動取引装置が備える主制御部の構成図である。
主制御部１００は、ＣＰＵ（Central Processing Unit）１０と、ＣＰＵ＿ＦＡＮ１５と、第３電力生成部、乃至第１電力変換部としての２４Ｖ／１２Ｖ＿ＤＣ−ＤＣコンバータ２０と、第２電力生成部、乃至第２電力変換部としてのＶＲＭ（Voltage Regulator Module）２５と、第１電力生成部としての２４Ｖ／５Ｖ＿ＤＣ−ＤＣコンバータ２６と、２４Ｖ／３．３Ｖ＿ＤＣ−ＤＣコンバータ２７と、ＵＳＢドライバ２８と、２４ＶＳ電源コネクタ３０と、ＤＰ（Display Port）コネクタ４１と、ＵＳＢコネクタ４２と、ＬＡＮ(Local Area Network)コネクタ４３と、ＰＣＩ（Peripheral Component Interconnect）コネクタ４４と、ＳＡＴＡコネクタ４６と、メモリ４７（４７ａ，４７ｂ）との電子部品を備える制御装置である。
【００２０】
ＣＰＵ１０は、複数のＣＰＵコアやグラフィック機能等を備えたＬＳＩ（Large-Scale Integrated circuit）であり、１００〜２００［Ｗ］の電力を消費する。ＣＰＵコアは、低消費電力化のために、ＤＣ１．２Ｖの低電圧で駆動される一方、内部クロックの周波数が高いので、大電流が必要である。ＣＰＵ＿ＦＡＮ１５は、ＣＰＵ１０を強制空冷する機構部であり、ヒートシンクを含む。なお、ＣＰＵ＿ＦＡＮ１５は、２４Ｖ／１２Ｖ＿ＤＣ−ＤＣコンバータ２０が出力するＤＣ１２Ｖの直流電力で駆動する。
【００２１】
ＶＲＭ２５は、２４Ｖ／１２Ｖ＿ＤＣ−ＤＣコンバータ２０が出力するＤＣ１２ＶをＣＰＵコアの駆動電圧ＤＣ１．２Ｖの低電圧に降圧する非絶縁型の電力変換器である。ＶＲＭ２５は、ＣＰＵ１０の直近で定電圧・大電流に降圧することにより、配線による電圧降下を低減し、効率を改善する効果がある。２４Ｖ／１２Ｖ＿ＤＣ−ＤＣコンバータ２０は、２４ＶＳ電源コネクタ３０と接続され、ＤＣ２４Ｖ〜ＤＣ１４ＶをＤＣ１２Ｖの単一電圧に降圧する非絶縁型の電力変換器である。ここで、２４Ｖ／１２Ｖ＿ＤＣ−ＤＣコンバータ２０は、メカユニット電源２００に接続されたバッテリ２２０の電圧が最低電圧Ｖmin＝ＤＣ１４Ｖまで低下したときであっても、ＶＲＭ２５の駆動可能電圧ＤＣ１２Ｖまで降圧できるように設計されている。つまり、２４ＶＳ電源コネクタ３０は、基準電圧ＤＣ２４Ｖ（ＤＣ１４Ｖ〜２４Ｖ）の単一電圧が印加されることになる。
【００２２】
２４Ｖ／１２Ｖ＿ＤＣ−ＤＣコンバータ２０、及びＶＲＭ２５は、ＣＰＵ１０を駆動するので、１００Ｗ〜２００Ｗの大電力を出力する。このため、２４Ｖ／１２Ｖ＿ＤＣ−ＤＣコンバータ２０、及びＶＲＭ２５は、各々が１０Ｗ〜２０Ｗの熱損失を発生するので、基板５０の配線面積を広くすると共に、搭載部品（トランジスタやコイル）の強制空冷が必要である。
【００２３】
２４Ｖ／５Ｖ＿ＤＣ−ＤＣコンバータ２６、及び２４Ｖ／３．３Ｖ＿ＤＣ−ＤＣコンバータ２７は、２４ＶＳ電源コネクタ３０と接続され、ＤＣ２４Ｖ〜ＤＣ１４ＶをＤＣ５Ｖ又はＤＣ３．３Ｖに降圧し、降圧された電圧を各部のＩＣに印加する電力変換器である。２４Ｖ／５Ｖ＿ＤＣ−ＤＣコンバータ２６、及び２４Ｖ／３．３Ｖ＿ＤＣ−ＤＣコンバータ２７は、主制御部１００が駆動するために必要十分な電流容量に設計されている。特に、２４Ｖ／５Ｖ＿ＤＣ−ＤＣコンバータ２６は、ＵＳＢコネクタ４２の電源端子（ＶＢＵＳ端子）にも電力を供給している。
【００２４】
２４ＶＳ電源コネクタ３０は、メカユニット電源２００の端子（２４ＶＳ）（図１）に接続され、２４Ｖ／５Ｖ＿ＤＣ−ＤＣコンバータ２６、２４Ｖ／３．３Ｖ＿ＤＣ−ＤＣコンバータ２７、及び２４Ｖ／１２Ｖ＿ＤＣ−ＤＣコンバータ２０に対する電力供給を仲介するコネクタである。ＤＰコネクタ４１は、３個併設されており、接客用表示操作部１５０，及び保守用表示操作部１６０に接続される。他の一つのＤＰコネクタ４１は、例えば、広告宣伝用のモニタに接続される。なお、Display Portは、デジタル・ディスプレイ装置のために設計された映像出力インタフェースの規格であり、音声信号や汎用データの転送も可能である。
【００２５】
ＵＳＢドライバ２８は、ＵＳＢコネクタ４２を介して接続部品１４０を制御するパラレル−シリアルインタフェースドライバＩＣであり、ＣＰＵ１０に制御される。２個のＵＳＢポートを備えたＵＳＢコネクタ４２は、図３に示すコネクタ４２ａ，４２ｂのように、２個実装されている。つまり、ＵＳＢコネクタ４２（４２ａ，４２ｂ）は、計４つのＵＳＢポートを備えている。ＵＳＢコネクタ４２は、例えば、カードユニット３３０や、通帳ユニット３４０等のメカユニット３００に接続される。また、ＵＳＢコネクタ４２は、その電源端子（ＶＢＵＳ端子）で駆動可能な接続部品１４０（ＤＶＤ１１０、ＵＳＢカメラ１２０や、ＰＩＮＰＡＤ１３０等）を接続することができる。ここで、ＵＳＢコネクタ４２の電源端子（ＶＢＵＳ端子）に接続される２４Ｖ／５Ｖ＿ＤＣ−ＤＣコンバータ２６の出力電圧（１２Ｖ）を用いている。つまり、接続部品１４０は、第１電力生成部としての２４Ｖ／５Ｖ＿ＤＣ−ＤＣコンバータ２６の直流電力を用いて駆動している。なお、ＵＳＢ２．１の給電能力は、５００ｍＡであり、ＵＳＢ３．１の給電能力は、１０００ｍＡである。
【００２６】
ＬＡＮコネクタ４３は、図３のコネクタ４３ａ，４３ｂのように、２個実装されており、各々のコネクタが２個のＵＳＢコネクタ（計４ポート）を有している。ＬＡＮコネクタ４３は、ネットワークに接続され、銀行サーバや全銀センタ等に通信可能に接続される。主制御部１００は、銀行サーバと通信可能に接続されることにより、取引プログラムの自動更新が容易となる。
【００２７】
ＰＣＩコネクタ４４は、グラフィックカードや外部メモリカード等が装着される外部バスコネクタである。また、ＰＣＩコネクタ４４は、例えば、自動取引装置１０００の扉の開閉等を検知するセンサ回路等を搭載する基板を装着することができる。ＳＡＴＡコネクタ４６は、ＳＳＤ（Solid State Disk）４５が装着されるコネクタであり、２個併設されている。メモリ４７（４７ａ，４７ｂ）は、ＣＰＵ１０のワーキングメモリとして使用される。なお、主制御部１００は、ＣＰＵ１０の起動用にＲＯＭ（Read Only Memory）が実装されている。
【００２８】
主制御部１００は、これらの電子部品を搭載したマザーボードとしての基板５０と、基板５０を格納する筐体９０とを備える。基板５０は、内装が電源の多層基板であるが、特に、２４Ｖ／１２Ｖ＿ＤＣ−ＤＣコンバータ２０、及びＶＲＭ２５の領域の外層をベタ基板とし、放熱を行っている。筐体９０は、２４Ｖ／１２Ｖ＿ＤＣ−ＤＣコンバータ２０の側面側にスリット状の空気孔９２が開口している。
【００２９】
図３は、本発明の実施形態である自動取引装置が備える主制御部の斜視図である。
主制御部１００は、ＣＰＵ＿ＦＡＮ１５と、２４Ｖ／１２Ｖ＿ＤＣ−ＤＣコンバータ２０と、ＶＲＭ２５と、２４Ｖ／５Ｖ＿ＤＣ−ＤＣコンバータ２６と、２４Ｖ／３．３Ｖ＿ＤＣ−ＤＣコンバータ２７と、２４ＶＳ電源コネクタ３０と、３個のＤＰコネクタ４１（４１ａ，４１ｂ，４１ｃ）と、２個のＵＳＢコネクタ４２（４２ａ，４２ｂ）と、２個のＬＡＮコネクタ４３（４３ａ，４３ｂ）と、２個のＰＣＩコネクタ４４に挿入された拡張スロット４８ａ，４８ｂと、２個のＳＡＴＡコネクタ４６に挿入されたＳＳＤ４５（４５ａ，４５ｂ）と、メモリ４７との電子部品を、基板５０に搭載している。
【００３０】
なお、２４Ｖ／１２Ｖ＿ＤＣ−ＤＣコンバータ２０、２４Ｖ／５Ｖ＿ＤＣ−ＤＣコンバータ２６、２４Ｖ／３．３Ｖ＿ＤＣ−ＤＣコンバータ２７、及びＶＲＭ２５は、部品を基板５０に搭載する領域を示すために破線で示している。また、ＣＰＵ１０（図１）は、ＣＰＵ＿ＦＡＮ１５の下部に隠れており、不記載である。
【００３１】
筐体９０は、上面にスリット状の空気孔９１が開口しており、一方の側面に空気孔９２が開口している。空気孔９１は、ＣＰＵ＿ＦＡＮ１５の上方に開口しており、空気孔９２は、２４Ｖ／１２Ｖ＿ＤＣ−ＤＣコンバータ２０の側面側に開口している。なお、筐体９０は、コネクタ用に複数の孔が設けられている。これらの孔は、コネクタに近接乃至当接するように形成されているので、空気の通流が皆無である。
【００３２】
また、２４Ｖ／１２Ｖ＿ＤＣ−ＤＣコンバータ２０は、空気孔９２とＣＰＵ＿ＦＡＮ１５との間に配設され、ＶＲＭ２５は、ＣＰＵ＿ＦＡＮ１５、及び２４Ｖ／１２Ｖ＿ＤＣ−ＤＣコンバータ２０の近傍に配設されている。このため、ＣＰＵ＿ＦＡＮ１５は、空気孔９１から取り入れた空気でＣＰＵ１０を強制空冷し、その空冷した空気がＶＲＭ２５、及び２４Ｖ／１２Ｖ＿ＤＣ−ＤＣコンバータ２０を空冷する。そして、ＶＲＭ２５、及び２４Ｖ／１２Ｖ＿ＤＣ−ＤＣコンバータ２０を冷却した空気は、空気孔９２を抜け、筐体外部に放出される。なお、自動取引装置１０００の本体筐体９００（図１）は、空気孔９２に対応する部分が開口している。このため、ＶＲＭ２５、及び２４Ｖ／１２Ｖ＿ＤＣ−ＤＣコンバータ２０を冷却した空気は、自動取引装置１０００の本体筐体９００の外部に放出される。
【００３３】
図４は、第３電力生成部、乃至第１電力変換部の回路図である。
第３電力生成部、乃至第１電力変換部としての２４Ｖ／１２Ｖ＿ＤＣ−ＤＣコンバータ２０は、例えば、２つのトランジスタＴＲａ，ＴＲｂと、コイルＬａと、コンデンサＣａとを備え、２４Ｖの直流電圧を１２Ｖに降圧する降圧回路である。ここで、トランジスタＴＲｂは、ダイオードでも構わない。なお、図４では、２４Ｖ／１２Ｖ＿ＤＣ−ＤＣコンバータ２０は、入力側にＶｉｎ＝２４Ｖの直流電源Ｅを接続し、出力側に負荷抵抗Ｒを接続している。
【００３４】
トランジスタＴＲａは、そのドレインが直流電源Ｅの正極に接続され、ソースがトランジスタＴＲｂのドレインとコイルＬａの一端とに接続されている。コイルＬａは、他端がコンデンサＣａの一端及び負荷抵抗Ｒの一端に接続されている。直流電源Ｅの負極は、トランジスタＴＲｂのソースとコンデンサＣａの他端及び負荷抵抗Ｒの他端に接続されている。なお、トランジスタＴＲａのゲートと、トランジスタＴＲｂのゲートとは、逆相のクロック信号が印加される。
【００３５】
トランジスタＴＲａがＯＦＦ状態であり、トランジスタＴＲｂがＯＮ状態であるとき、コイルＬａは、出力電圧Ｖｏｕｔ＝１２Ｖが印加され、負荷抵抗Ｒに負荷電流Ｖｏｕｔ／Ｒを流す。このとき、コイルＬａに流れるコイル電流Ｉｏｕｔは、徐々に減少する。次に、トランジスタＴＲａがＯＮ状態になり、トランジスタＴＲｂがＯＦＦ状態になるとき、入力電圧Ｖｉｎ＝２４Ｖと出力電圧Ｖｏｕｔ＝１２Ｖとの電位差（Ｖｉｎ−Ｖｏｕｔ）＝１２ＶがコイルＬａに印加され、コイル電流Ｉｏｕｔが増加する。
【００３６】
ここで、トランジスタＴＲｂのＯＮ期間とトランジスタＴＲａのＯＮ期間とを等しくすると、コイルＬａの電流減少とコイルＬａの電流増加とが等しくなる。これにより、トランジスタＴＲｂのＯＮ期間とトランジスタＴＲａのＯＮ期間とで、コイルＬａの両端電圧が等しくなり、出力電圧Ｖｏｕｔ＝１２Ｖと、入力電圧Ｖｉｎ＝２４Ｖと出力電圧Ｖｏｕｔ＝１２Ｖとの電位差（Ｖｉｎ−Ｖｏｕｔ）とが等しくなる。
【００３７】
図５は、第２電力生成部、乃至第２電力変換部の回路図である。
第２電力生成部、乃至第２電力変換部としてのＶＲＭ２５は、図４に示した降圧回路をｎ個（例えば、３個）並列接続したものであり、トランジスタＴｒ１，Ｔｒ３，Ｔｒ５に流れる電流Ｉｉｎ１，Ｉｉｎ２，Ｉｉｎ３を出力電流Ｉｏｕｔの１／ｎ（例えば、１／３）に減少させるものである。これにより、ＣＰＵ１０の低圧・大電流に対応している。
【００３８】
ＶＲＭ２５は、２つのトランジスタＴｒ１，Ｔｒ２、及びコイルＬ１を備える第１降圧回路２５ａと、２つのトランジスタＴｒ３，Ｔｒ４、及びコイルＬ２を備える第２降圧回路２５ｂと、２つのトランジスタＴｒ５，Ｔｒ６、及びコイルＬ３を備える第３降圧回路２５ｃと、コンデンサＣ１とを備える。ＶＲＭ２５は、入力端にＶｉｎ＝１２Ｖの直流電源Ｅが接続され、コンデンサＣ１と並列に負荷抵抗Ｒが接続される。
【００３９】
具体的には、直流電源Ｅは、その正極がトランジスタＴｒ１，Ｔｒ３，Ｔｒ５のドレインに接続され、負極がトランジスタＴｒ２，Ｔｒ４，Ｔｒ６のソース、及びコンデンサＣ１の一端に接続される。コンデンサＣ１の他端は、コイルＬ１，Ｌ２，Ｌ３の一端に接続される。そして、トランジスタＴｒ１，Ｔｒ３，Ｔｒ５のソースと、トランジスタＴｒ２，Ｔｒ４，Ｔｒ６ドレインと、コイルＬ１，Ｌ２，Ｌ３の他端とが接続されている。
【００４０】
トランジスタＴｒ１，Ｔｒ３，Ｔｒ５のクロックのＯＮ期間とトランジスタＴｒ２，Ｔｒ４，Ｔｒ６のクロックのＯＦＦ期間とは、第１降圧回路２５ａと第２降圧回路２５ｂと第３降圧回路２５ｃとで、互いに１２０°ずれている。
【００４１】
図６は、第２電力生成部、乃至第２電力変換部の動作を説明する説明図である。図６（ａ）がトランジスタＴｒ１，Ｔｒ３，Ｔｒ５に流れる電流波形であり、図６（ｂ）が単一のコイルＬ１に流れる電流の波形であり、図６（ｃ）が全コイルＬ１，Ｌ２，Ｌ３に流れる電流の合成波形である。なお、１周期Ｔ（図６（ｃ））は、０°〜１２０°の期間、１２０°〜２４０°の期間、及び２４０°〜３６０°の期間に３分割される。
【００４２】
図６（ａ）において、トランジスタＴｒ１に流れる電流Ｉｉｎ１は、初期電流値Ｉ０からトランジスタＴｒ１のＯＮ期間だけ増加し、その後、次の周期まで遮断する。トランジスタＴｒ２，Ｔｒ３に流れる電流Ｉｉｎ２，Ｉｉｎ３は、電流Ｉｉｎ１に対して、１２０°，２４０°ずれた同様の波形になる。この電流の増加量は、入出力間電位差（Ｖｏｕｔ−Ｖｉｎ）、コイルＬ１，Ｌ２，Ｌ３のインダクタンス、及びトランジスタＴｒ１，Ｔｒ３，Ｔｒ５のＯＮ時間で定まる。
【００４３】
図６（ｂ）において、コイルＬ１に流れる電流ＩＬ１は、トランジスタＴｒ１のＯＮ期間が図６（ａ）のＩｉｎ１と同一であり、次の周期に、トランジスタＴｒ１がＯＮ状態になるまで、トランジスタＴｒ２のＯＮ期間として減少し続ける。なお、電流の減少量は、出力電圧Ｖｏｕｔ、コイルＬ１のインダクタンス、及びトランジスタＴｒ２のＯＮ時間で定まる。
【００４４】
図６（ｃ）の波形は、コイルＬ１，Ｌ２，Ｌ３に流れる電流の和（Ｉｏｕｔ＝ＩＬ１＋ＩＬ２＋ＩＬ３）であるが、その平均電流は、負荷抵抗Ｒに流れる電流Ｉｍａｘとなる。つまり、図６（ｂ）の電流ＩＬ１の平均値は、Ｉｍａｘ／３である。なお、初期電流値Ｉ０は、電流の増加減少の繰り返しによって、所定値に落ち着く。
【００４５】
（効果の説明）
以上説明したように、本実施形態の自動取引装置１０００は、メカユニット３００に接続する電源端子（２４Ｖ）と同一電圧（２４ＶＳ）の直流電力を、主制御部１００に供給している。つまり、主制御部１００は、ＤＣ２４ＶＳから、基板内部でＣＰＵ１０やＣＰＵ＿ＦＡＮ１５の電源電圧（１．２Ｖ，３．３Ｖ，５Ｖ）まで降圧している。これにより、自動取引装置１０００は、電源構成がシンプル且つ、最小化することが可能となる。つまり、自動取引装置１０００は、装置全体として、電源装置の部品を削減し、コスト低減を図ることができる。
【００４６】
また、主制御部１００は、ＡＴＸ電源を介さず、電源構成をシンプルにすることで、PC標準電源の各電圧の電流規定値を満足するために構成していた電源回路を削減することができ、消費電力を削減することが可能となる。
【００４７】
ところで、ＡＴＸ電源は、コントロール端子を用いて、出力のＯＮ／ＯＦＦを制御可能な電圧端子（１２Ｖ／５Ｖ／３．３Ｖ／−１２Ｖ）と、商用電源に接続されている限り、低出力ながら出力電圧を出し続ける電圧端子（５ＶＳ）とを有している。一方、自動取引装置１０００は、電源スイッチを切断しても主制御部１００と商用電源とを接続し続けるように構成されている。自動取引装置１０００は、ＡＴＸ電源を使うことなく、メカユニット電源２００を用いている。このため、自動取引装置１０００は、ＡＴＸ電源の５ＶＳ端子の電源回路が不要となり、装置全体としてのコストが低減する。
【００４８】
なお、ＡＴＸ電源は、各電圧端子（１２Ｖ／５Ｖ／３．３Ｖ／−１２Ｖ）の供給電流が規定されており、例えば、３．３Ｖ電源の電流容量が不足したときには、例えば、１２Ｖや５Ｖを３．３Ｖに降圧する回路が必要になる。このため、ＡＴＸ電源を接続する基板（マザーボード）は、降圧電源の種類が多くなり、電源構成部品の増加と共に、コストが高くなってしまう。しかしながら、本実施形態の主制御部１００は、２４ＶＳ端子のみを電源端子としているので、必要十分な電流容量の電源装置（具体的には、２４Ｖ／５Ｖ＿ＤＣ−ＤＣコンバータ２６や、２４Ｖ／３．３Ｖ＿ＤＣ−ＤＣコンバータ２７）を基板内部に搭載することができる。
【００４９】
（変形例）
本発明は前記した実施形態に限定されるものではなく、例えば以下のような種々の変形が可能である。
（１）前記実施形態の自動取引装置１０００は、メカユニット電源２００が接客用表示操作部１５０、及び保守用表示操作部１６０に電力供給を行っていたが、消費電流が少なければ、主制御部１００のＵＳＢコネクタ４２の電源端子（ＶＢＵＳ端子）が電力供給を行なうことができる。つまり、接続部品１４０は、ＵＳＢカメラ１２０、ＰＩＮＰＡＤ１３０、接客用表示操作部１５０、保守用表示操作部１６０、及びＤＶＤ１１０となる。
【００５０】
（２）前記実施形態や、変形例（１）の接続部品１４０は、ＶＢＵＳ端子を介して電力供給が行われるＵＳＢ機器であったが、例えば、ＰＣＩコネクタ４４（図２）に接続される電子機器であっても構わない。具体的には、自動取引装置１０００の扉やシャッタの開閉を検出するセンサ回路を拡張スロット４８（図３）に搭載することが考えられる。
【００５１】
（３）前記実施形態の自動取引装置１０００は、ＡＴＭを前提としていたが、券売機や現金処理機であっても構わない。
【符号の説明】
【００５２】
１０  ＣＰＵ
１５  ＣＰＵファン
２０  ２４Ｖ／１２Ｖ＿ＤＣ−ＤＣコンバータ（第３電力生成部、第１電力変換部）
２５  ＶＲＭ（第２電力生成部、第２電力変換部）
２６  ２４Ｖ／５Ｖ＿ＤＣ−ＤＣコンバータ（第１電力生成部）
２７  ２４Ｖ／３．３Ｖ＿ＤＣ−ＤＣコンバータ
２８  ＵＳＢドライバ（ドライバ）
３０  ２４ＶＳ電源コネクタ
４２  ＵＳＢコネクタ
５０  基板
９０  筐体
９１  空気孔（第１空気孔）
９２  空気孔（第２空気孔）
１００  主制御部（制御装置）
１１０  ＤＶＤ
１２０  ＵＳＢカメラ
１３０  ＰＩＮＰＡＤ
１４０  接続部品
１５０  接客用表示操作部
１６０  保守用表示操作部
２００  メカユニット電源
２１０  電源スイッチ
２２０  バッテリ
３００  メカユニット
３１０  紙幣ユニット（媒体取扱部）
３１０ａ  受渡部
９００  本体筐体
１０００  自動取引装置
【図１】
2018163625.tif 000003
【図２】
2018163625.tif 000004
【図３】
2018163625.tif 000005
【図４】
2018163625.tif 000006
【図５】
2018163625.tif 000007
【図６】
2018163625.tif 000008